【手続補正書】
【提出日】平成17年6月29日(2005.6.29)
【手続補正１】
【補正対象書類名】明細書
【補正対象項目名】発明の名称
【補正方法】変更
【補正の内容】
【発明の名称】情報処理システム、情報処理装置、およびコンピュータプログラム
【手続補正２】
【補正対象書類名】明細書
【補正対象項目名】特許請求の範囲
【補正方法】変更
【補正の内容】
【特許請求の範囲】
【請求項１】
表示装置および通信手段を有する第１の情報処理装置と、
表示装置および前記第１の情報処理装置と通信可能な通信手段を有する第２の情報処理装置と、
前記第１の情報処理装置と前記第２の情報処理装置とが通信による接続状態にあるか否かを判定するための接続状態判定手段と、
前記接続状態判定手段により前記第１の情報処理装置および第２の情報処理装置が接続状態にあると判定された事に応答して、前記第１の情報処理装置の前記表示装置に表示しているＧＵＩ(グラフィカルユーザインタフェース)要素のうち、所定の条件を満足するものの前記第１の情報処理装置の前記表示装置での表示を抑止し、前記第２の情報処理装置の前記表示装置に表示するように前記第１の情報処理装置および前記第２の情報処理装置を制御するための制御手段とを含む、情報処理システム。
【請求項２】
前記制御手段は、
前記第２の情報処理装置に表示すべきＧＵＩ要素を特定する情報を予め記憶するためのＧＵＩ情報記憶手段と、
前記接続状態判定手段により前記第１の情報処理装置および第２の情報処理装置が接続状態にあると判定された事に応答して、前記第１の情報処理装置の前記表示装置に表示しているＧＵＩ要素のうち、前記ＧＵＩ情報記憶手段に記憶されているＧＵＩ要素の前記第１の情報処理装置の前記表示装置での表示を抑止し、前記第２の情報処理装置の前記表示装置に表示するように前記第１の情報処理装置および前記第２の情報処理装置を制御するための手段とを含む、請求項１に記載の情報処理システム。
【請求項３】
前記第２の情報処理装置には予め識別情報が割当てられており、
前記制御手段は、
ＧＵＩ要素を特定する情報と、当該ＧＵＩ要素の表示先の前記第２の情報処理装置の識別情報とを予め記憶するためのＧＵＩ情報記憶手段と、
前記接続状態判定手段により前記第１の情報処理装置および前記ＧＵＩ情報記憶手段に記憶された識別情報を有する前記第２の情報処理装置が接続状態にあると判定された事に応答して、前記第１の情報処理装置の前記表示装置に表示しているＧＵＩ要素のうち、前記第２の情報処理装置の識別情報に対応して前記ＧＵＩ情報記憶手段に記憶されているＧＵＩ要素の、前記第１の情報処理装置の前記表示装置での表示を抑止し、前記第２の情報処理装置の前記表示装置に表示するように前記第１の情報処理装置および前記第２の情報処理装置を制御するための手段とを含む、請求項１に記載の情報処理システム。
【請求項４】
表示装置および通信手段を有する第１の情報処理装置と、
表示装置および前記第１の情報処理装置と通信可能な通信手段を有する第２の情報処理装置とからなる情報処理システムであって、
前記第１の情報処理装置は前記第２の情報処理装置と通信による接続状態にあるか否かを判定するための接続状態判定手段を含み、
接続判定手段が接続状態にあると判定し、第１の情報処理装置に表示すべきＧＵＩ要素が新たに発生したときに、所定の条件を満足するものは前記第１の情報処理装置に表示せずに前記第２の情報処理装置に表示するように第１の情報処理装置および前記第２の情報処理装置を制御するための制御手段を含む、情報処理システム。
【請求項５】
前記制御手段は、
前記第２の情報処理装置に表示すべきＧＵＩ要素を特定する情報を予め記憶するためのＧＵＩ情報記憶手段と、
前記第１の情報処理装置において、前記ＧＵＩ情報記憶手段に記憶されているＧＵＩ要素が表示されようとすることに応答して、当該ＧＵＩ要素を第１の情報処理装置でなく第２の情報処理装置に表示するように前記第１の情報処理装置および前記第２の情報処理装置を制御するための手段とを含む、請求項４に記載の情報処理システム。
【請求項６】
前記第２の情報処理装置に表示するＧＵＩ要素はメール着信通知であることを特徴とする請求項２または請求項５のいずれかに記載の情報処理システム。
【請求項７】
前記第２の情報処理装置には予め識別情報が割当てられており、
前記制御手段は、ＧＵＩ要素を特定する情報と当該ＧＵＩ要素の表示先の前記第２の情報処理装置の識別情報とを予め記憶するためのＧＵＩ情報記憶手段と、
前記接続状態判定手段により前記第１の情報処理装置および前記ＧＵＩ情報記憶手段に記憶された識別情報を有する前記第２の情報処理装置が接続状態にあるときに当該ＧＵＩ要素が表示されようとすることに応答して、当該ＧＵＩ要素を前記第２の情報処理装置の識別情報に対応して前記ＧＵＩ情報記憶手段に記憶されている前記第２の情報処理装置の表示装置に表示するように前記第１の情報処理装置および前記第２の情報処理装置を制御するための手段とを含む、請求項４に記載の情報処理システム。
【請求項８】
前記情報処理システムは複数の前記第１の情報処理装置を含み、前記第２の情報処理装置は、前記複数の第１の情報処理装置の各々と個別に接続状態となる事が可能である、請求項１から請求項７のいずれかに記載の情報処理システム。
【請求項９】
前記第２の情報処理装置は、
前記第２の情報処理装置の前記表示装置に表示されたＧＵＩ要素に対するユーザの操作を検出するための操作検出手段と、
前記操作検出手段が検出した操作が行なわれたＧＵＩ要素と、当該操作の内容とに関する操作情報を、接続状態にある前記第１の情報処理装置に前記通信手段を用いて送信するための手段とを含み、
前記第１の情報処理装置は、前記第２の情報処理装置から送信された操作情報に応答し、当該操作が行なわれたＧＵＩ要素と、当該操作の内容とに基づいて定められる処理を実行するための手段をさらに含む、請求項１から請求項８のいずれかに記載の情報処理システム。
【請求項１０】
前記第２の情報処理装置は、接続状態にある前記第１の情報処理装置から送られた前記ＧＵＩ要素を、当該第１の情報処理装置による表示の形態とは独立に前記第２の情報処理装置で定められる形態で表示する、請求項１から請求項９のいずれかに記載の情報処理システム。
【請求項１１】
前記第１の情報処理装置の所定位置に、前記第２の情報処理装置を着脱可能に保持するための手段をさらに含む、請求項１から請求項１０のいずれかに記載の情報処理システム。
【請求項１２】
前記第１の情報処理装置と、前記第２の情報処理装置との間の通信を許可するか否かを特定する情報を記憶するための許可情報記憶手段と、
前記第１の情報処理装置と、前記第２の情報処理装置との間で通信が可能となった事に応答して、前記許可情報記憶手段を参照し、当該第１の情報処理装置および第２の情報処理装置を接続状態とする事を許可するか否かを判定するための許可判定手段とをさらに含み、それによって、
前記第１の情報処理装置および第２の情報処理装置の間の通信が許可されているときのみ、前記第１の情報処理装置および第２の情報処理装置の間が接続状態となり、前記第１の情報処理装置での表示を抑止し、前記第２の情報処理装置でＧＵＩ要素の表示が行なわれる、請求項１から請求項３のいずれかに記載の情報処理システム。
【請求項１３】
前記第１の情報処理装置と、前記第２の情報処理装置との間の通信を許可するか否かを特定する情報を記憶するための許可情報記憶手段と、
前記第１の情報処理装置と、前記第２の情報処理装置との間で通信が可能となった事に応答して、前記許可情報記憶手段を参照し、当該第１の情報処理装置および第２の情報処理装置を接続状態とする事を許可するか否かを判定するための許可判定手段とをさらに含み、それによって、
前記第１の情報処理装置および第２の情報処理装置の間の通信が許可されているときのみ、前記第１の情報処理装置および第２の情報処理装置の間が接続状態となり、前記第１の情報処理装置には表示せず、前記第２の情報処理装置でＧＵＩ要素の表示が行なわれる、請求項４から請求項７のいずれかに記載の情報処理システム。
【請求項１４】
前記許可情報記憶手段に記憶される情報をユーザが設定するための手段をさらに含む、請求項１２または請求項１３に記載の情報処理システム。
【請求項１５】
前記ＧＵＩ情報記憶手段に記憶される情報をユーザが設定するための入力手段をさらに含む、請求項２、請求項３、請求項５、または請求項７に記載の情報処理システム。
【請求項１６】
前記制御手段により前記第２の情報処理装置に表示されたＧＵＩ要素が存在するときに、前記第１の情報処理装置の前記表示装置に予め定められた表示を行なうための手段をさらに含む、請求項１または請求項７に記載の情報処理システム。
【請求項１７】
表示装置と、
第２の情報処理装置との間で通信を行なうための通信手段と、
前記通信手段により前記第２の情報処理装置と接続状態にあるか否かを判定するための接続状態判定手段と、
前記接続状態判定手段により前記第２の情報処理装置と接続状態にあると判定された事に応答して、前記表示装置に表示しているＧＵＩ要素のうち、所定の条件を満足するものの属性情報を前記第２の情報処理装置に送信するように前記通信手段を制御するための制御手段と、
前記所定の条件を満足するＧＵＩ要素の、前記表示装置における表示を抑止するための手段とを含む、情報処理装置。
【請求項１８】
前記制御手段は、前記第２の情報処理装置に表示すべきＧＵＩ要素を特定する情報を記憶するためのＧＵＩ情報記憶手段と、
前記接続状態判定手段により前記第２の情報処理装置と接続状態にあると判定された事に応答して、前記情報処理装置の前記表示装置に表示しているＧＵＩ要素のうち、前記ＧＵＩ情報記憶手段に記憶されているＧＵＩ要素の属性情報を前記通信手段を介して前記第２の情報処理装置に送信するための手段と、
前記所定の条件を満足するＧＵＩ要素の、前記表示装置における表示を抑止するための手段とを含む、請求項１７に記載の情報処理装置。
【請求項１９】
前記第２の情報処理装置には識別情報が割当てられており、
前記制御手段は、
ＧＵＩ要素を特定する情報と、当該ＧＵＩ要素の表示先の前記第２の情報処理装置の識別情報とを記憶するためのＧＵＩ情報記憶手段と、
前記接続状態判定手段により、前記ＧＵＩ情報記憶手段に記憶された識別情報を有する前記第２の情報処理装置と接続状態にあると判定された事に応答して、前記情報処理装置の前記表示装置に表示しているＧＵＩ要素のうち、前記接続状態にあると判定された前記第２の情報処理装置の識別情報に対応して前記ＧＵＩ情報記憶手段に記憶されているＧＵＩ要素に関する属性情報を、前記接続状態判定手段により接続状態にあると判定された前記第２の情報処理装置に送信するように前記通信手段を制御するための手段と、
前記所定の条件を満足するＧＵＩ要素の、前記表示装置における表示を抑止するための手段とを含む、請求項１８に記載の情報処理装置。
【請求項２０】
表示装置と、
第２の情報処理装置との間で通信を行なうための通信手段と、
前記通信手段により前記第２の情報処理装置と接続状態にあるか否かを判定するための接続状態判定手段と、
前記接続状態判定手段により前記第２の情報処理装置と接続状態にあると判定し、前記表示装置に表示すべきＧＵＩ要素が新たに発生したときに、所定の条件を満足するものの属性情報を前記第２の情報処理装置に送信するように前記通信手段を制御するための制御手段と、
前記所定の条件を満足するＧＵＩ要素の、前記表示装置における表示を抑止するための手段とを含む、情報処理装置。
【請求項２１】
前記制御手段は、
前記第２の情報処理装置に表示すべきＧＵＩ要素を特定する情報を記憶するためのＧＵＩ情報記憶手段と、
前記ＧＵＩ情報記憶手段に記憶されているＧＵＩ要素が表示されようとすることに応答して、当該ＧＵＩ要素の属性情報を前記通信手段を介して前記第２の情報処理装置に送信するための手段と、
前記所定の条件を満足するＧＵＩ要素の、前記表示装置における表示を抑止するための手段とを含む、請求項２０に記載の情報処理装置。
【請求項２２】
前記第２の情報処理装置には識別情報が割当てられており、
前記制御手段は、
ＧＵＩ要素を特定する情報と、当該ＧＵＩ要素の表示先の前記第２の情報処理装置の識別情報とを記憶するためのＧＵＩ情報記憶手段と、
前記接続状態判定手段により、前記ＧＵＩ情報記憶手段に記憶された識別情報を有する前記第２の情報処理装置と接続状態にある判定されているときに当該ＧＵＩ要素が表示されようとすることに応答して、当該ＧＵＩ要素に関する属性情報を前記第２の情報処理装置に送信するように前記通信手段を制御するための手段と、
前記所定の条件を満足するＧＵＩ要素の、前記表示装置における表示を抑止するための手段とを含む、請求項２０に記載の情報処理装置。
【請求項２３】
さらに、前記接続状態判定手段により接続状態にあると判定された前記第２の情報処理装置から、ＧＵＩ要素を特定する情報と、当該ＧＵＩ要素に関する操作の内容を示す操作情報とを受取った事に応答して、当該ＧＵＩ要素と、当該操作の内容とによって定められる処理を実行するための手段をさらに含む、請求項１７から請求項２２のいずれかに記載の情報処理装置。
【請求項２４】
前記第２の情報処理装置を所定位置に着脱可能に保持するための手段をさらに含む、請求項１７から請求項２３のいずれかに記載の情報処理装置。
【請求項２５】
前記第２の情報処理装置との間の通信を許可するか否かを特定する情報を記憶するための許可情報記憶手段と、
前記第２の情報処理装置との間で通信が可能となった事に応答して、前記許可情報記憶手段を参照し、当該第２の情報処理装置と接続状態とする事を許可するか否かを判定するための許可判定手段とをさらに含み、それによって、
前記第２の情報処理装置との間の通信が許可されているときのみ、前記第２の情報処理装置と接続状態となり、ＧＵＩ要素の属性情報が前記通信手段を介して前記第２の情報処理装置に送信される、請求項１７から請求項２４のいずれかに記載の情報処理装置。
【請求項２６】
前記許可情報記憶手段に記憶される情報をユーザが設定するための手段をさらに含む、請求項２５に記載の情報処理装置。
【請求項２７】
前記ＧＵＩ情報記憶手段に記憶される情報をユーザが設定するための入力手段をさらに含む、請求項１８、請求項１９、請求項２１、または請求項２２に記載の情報処理装置。
【請求項２８】
前記制御手段により前記第２の情報処理装置にＧＵＩ要素に関する属性情報を送信したときに、前記表示装置に予め定められた表示を行なうための手段をさらに含む、請求項１７または請求項２２に記載の情報処理装置。
【請求項２９】
ＧＵＩ要素を表示する表示装置と、
第１の情報処理装置と通信可能な通信手段と、
前記通信手段により前記第１の情報処理装置から問合せを受信した事に応答して、前記第１の情報処理装置に応答を返信する事により、前記第１の情報処理装置との間の接続状態を確認するための接続状態確認手段と、
前記通信手段により前記第１の情報処理装置からＧＵＩ要素の属性情報を受取った事に応答して、前記表示装置上に当該ＧＵＩ要素を表示するための手段とを含む、情報処理装置。
【請求項３０】
さらに、前記表示装置上に表示されたＧＵＩ要素に対してユーザが行なった操作を検出するための操作検出手段と、
前記操作検出手段により検出された操作の内容を、当該操作が行なわれたＧＵＩ要素を特定する情報とともにＧＵＩの操作情報として前記第１の情報処理装置に前記通信手段を介して送信するための手段とを含む、請求項２９に記載の情報処理装置。
【請求項３１】
コンピュータ上で実行されると、当該コンピュータを、請求項１７から請求項３０のいずれかに記載の情報処理装置として動作させるコンピュータプログラム。
【手続補正３】
【補正対象書類名】明細書
【補正対象項目名】００１６
【補正方法】変更
【補正の内容】
【００１６】
【課題を解決するための手段】
本発明の第１の局面に係る情報処理システムは、表示装置および通信手段を有する第１の情報処理装置と、表示装置および第１の情報処理装置と通信可能な通信手段を有する第２の情報処理装置と、第１の情報処理装置と第２の情報処理装置とが通信による接続状態にあるか否かを判定するための接続状態判定手段と、接続状態判定手段により第１の情報処理装置および第２の情報処理装置が接続状態にあると判定された事に応答して、第１の情報処理装置の表示装置に表示しているＧＵＩ要素のうち、所定の条件を満足するものの第１の情報処理装置の表示装置での表示を抑止し、第２の情報処理装置の表示装置に表示するように第１の情報処理装置および第２の情報処理装置を制御するための制御手段とを含む。
【手続補正４】
【補正対象書類名】明細書
【補正対象項目名】００１７
【補正方法】変更
【補正の内容】
【００１７】
第１の情報処理装置と第２の情報処理装置とが接続状態となると、第１の情報処理装置の表示装置に表示すべきＧＵＩ要素のうちで所定の条件を満足するものの第１の情報処理装置の表示装置での表示が抑止され、第２の情報処理装置の表示装置で表示される。第１の情報処理装置では、それまでこのＧＵＩ要素に隠れていたＧＵＩ要素を確認できるようになる。また第２の情報処理装置では第１の情報処理装置での表示が抑止されたＧＵＩ要素が他のＧＵＩ要素に邪魔されずに表示される。従って、第１の情報処理装置においても、第２の情報処理装置においても、わざわざ表示装置上のＧＵＩ要素の位置を動かす事なく、ＧＵＩ要素の確認ができ、操作を行なう事ができるようになる。
【手続補正５】
【補正対象書類名】明細書
【補正対象項目名】００１８
【補正方法】変更
【補正の内容】
【００１８】
好ましくはこの情報処理システムの制御手段は、第２の情報処理装置に表示すべきＧＵＩ要素を特定する情報を予め記憶するためのＧＵＩ情報記憶手段と、接続状態判定手段により第１の情報処理装置および第２の情報処理装置が接続状態にあると判定された事に応答して、第１の情報処理装置の表示装置に表示しているＧＵＩ要素のうち、ＧＵＩ情報記憶手段に記憶されているＧＵＩ要素の第１の情報処理装置の表示装置での表示を抑止し、第２の情報処理装置の表示装置に表示するように第１の情報処理装置および第２の情報処理装置を制御するための手段を含む。
【手続補正６】
【補正対象書類名】明細書
【補正対象項目名】００１９
【補正方法】変更
【補正の内容】
【００１９】
このように第１の情報処理装置での表示を抑止し第２の情報処理装置で表示すべきＧＵＩ要素を特定する情報を予め記憶させておく事ができるようにすると、設定を変更する場合にハードウェアまたはソフトウェアを変更することなく、記憶されている情報だけを変更すればよい。したがって、システムの保守が容易になる。
【手続補正７】
【補正対象書類名】明細書
【補正対象項目名】００２０
【補正方法】変更
【補正の内容】
【００２０】
また、この情報処理システムでは、第２の情報処理装置には予め識別情報が割当てられており、制御手段は、ＧＵＩ要素を特定する情報と、当該ＧＵＩ要素の表示先の第２の情報処理装置の識別情報とを予め記憶するためのＧＵＩ情報記憶手段と、接続状態判定手段により第１の情報処理装置およびＧＵＩ情報記憶手段に記憶された識別情報を有する第２の情報処理装置が接続状態にあると判定された事に応答して、第１の情報処理装置の表示装置に表示しているＧＵＩ要素のうち、第２の情報処理装置の識別情報に対応してＧＵＩ情報記憶手段に記憶されているＧＵＩ要素の、第１の情報処理装置の表示装置での表示を抑止し、第２の情報処理装置の表示装置に表示するように第１の情報処理装置および第２の情報処理装置を制御するための手段とを含んでもよい。
【手続補正８】
【補正対象書類名】明細書
【補正対象項目名】００２１
【補正方法】変更
【補正の内容】
【００２１】
第２の情報処理装置の識別情報に対応するＧＵＩ要素のみを第２の情報処理装置に表示させる事ができる。第２の情報処理装置が複数あり得る場合に、第２の情報処理装置ごとに表示させるＧＵＩ要素を予め定めておく事ができる。その結果、第２の情報処理装置の性能、装備、用途に応じて、ＧＵＩ要素と第２の情報処理装置との組合せを容易に設定できる。
【手続補正９】
【補正対象書類名】明細書
【補正対象項目名】００２２
【補正方法】変更
【補正の内容】
【００２２】
さらに好ましくは、情報処理システムは複数個の第１の情報処理装置を含み、第２の情報処理装置は、複数個の第１の情報処理装置の各々と個別に接続状態となる事が可能である。
【手続補正１０】
【補正対象書類名】明細書
【補正対象項目名】００２３
【補正方法】変更
【補正の内容】
【００２３】
第２の情報処理装置が複数個の第１の情報処理装置と接続状態となる事により、複数個の第１の情報処理装置の各々でのＧＵＩ要素の表示を抑止し、第２の情報処理装置でのＧＵＩ要素の表示が可能になる。第２の情報処理装置が１台あれば、その１台で複数個の第１の情報処理装置から必要なＧＵＩ要素を表示させる事により、複数個の第１の情報処理装置の状態を一括して把握し、管理できる。
【手続補正１１】
【補正対象書類名】明細書
【補正対象項目名】００２４
【補正方法】変更
【補正の内容】
【００２４】
また、第２の情報処理装置は、第２の情報処理装置の表示装置に表示されたＧＵＩ要素に対するユーザの操作を検出するための操作検出手段と、操作検出手段が検出した操作が行なわれたＧＵＩ要素と、当該操作の内容とに関する操作情報を、接続状態にある第１の情報処理装置に通信手段を用いて送信するための手段とを含み、第１の情報処理装置は、第２の情報処理装置から送信された操作情報に応答し、当該操作が行なわれたＧＵＩ要素と、当該操作の内容とに基づいて定められる処理を実行するための手段をさらに含むようにしてもよい。
【手続補正１２】
【補正対象書類名】明細書
【補正対象項目名】００２５
【補正方法】変更
【補正の内容】
【００２５】
第２の情報処理装置に表示されたＧＵＩ要素に対してユーザが行なった操作に関する操作情報に基づき、第１の情報処理装置でその操作に対応した処理が実行できる。ユーザが第１の情報処理から離れたところにいても、第１の情報処理装置を容易に操作する事が可能になる。
【手続補正１３】
【補正対象書類名】明細書
【補正対象項目名】００２６
【補正方法】変更
【補正の内容】
【００２６】
より好ましくは、第２の情報処理装置は、接続状態にある第１の情報処理装置から送られたＧＵＩ要素を、当該第１の情報処理装置による表示の形態とは独立に第２の情報処理装置で定められる形態で表示する。
【手続補正１４】
【補正対象書類名】明細書
【補正対象項目名】００２７
【補正方法】変更
【補正の内容】
【００２７】
第１の情報処理装置の表示装置と、第２の情報処理装置の表示装置とが同じ表示性能を持つとは限らない。また、それぞれの表示装置上の表示の状態も互いに異なっている事が通常である。第２の情報処理装置の表示装置上にＧＵＩ要素を表示する場合、第１の表示装置上で表示する場合と形態を独立に定められる形態とする事で、第２の情報処理装置では第１の情報処理装置での表示形態に制限を受ける事なく、第２の情報処理装置の表示態様にあわせた適切な形態でＧＵＩ要素を表示させる事ができる。
【手続補正１５】
【補正対象書類名】明細書
【補正対象項目名】００２８
【補正方法】変更
【補正の内容】
【００２８】
情報処理システムは、第１の情報処理装置の所定位置に、第２の情報処理装置を着脱可能に保持するための手段をさらに含んでもよい。
【手続補正１６】
【補正対象書類名】明細書
【補正対象項目名】００２９
【補正方法】変更
【補正の内容】
【００２９】
第２の情報処理装置を第１の情報処理装置から取り外す事ができるので、第１の情報処理装置から離れた場所にユーザがいても、第１の情報処理装置に表示されるべき情報を第２の情報処理装置で確認できる。また第２の情報処理装置が第１の情報処理装置の所定位置に保持されるので、両者の表示装置の相対的な位置関係が定まり、ユーザにとって両方の表示装置の表示内容を確認しやすくなる。
【手続補正１７】
【補正対象書類名】明細書
【補正対象項目名】００３０
【補正方法】変更
【補正の内容】
【００３０】
さらに好ましくは、情報処理システムは、第１の情報処理装置と、第２の情報処理装置との間の通信を許可するか否かを特定する情報を記憶するための許可情報記憶手段と、第１の情報処理装置と、第２の情報処理装置との間で通信が可能となった事に応答して、許可情報記憶手段を参照し、当該第１の情報処理装置および第２の情報処理装置を接続状態とする事を許可するか否かを判定するための許可判定手段とをさらに含み、それによって、第１の情報処理装置および第２の情報処理装置の間の通信が許可されているときのみ、第１の情報処理装置および第２の情報処理装置の間が接続状態となり、第１の情報処理装置での表示を抑止し、第２の情報処理装置でのＧＵＩ要素の表示が行なわれる。
【手続補正１８】
【補正対象書類名】明細書
【補正対象項目名】００３１
【補正方法】変更
【補正の内容】
【００３１】
第１の情報処理装置から第２の情報処理装置にＧＵＩ要素を送って表示させる事ができるのは、それが許可されている場合だけとなる。ユーザとは異なる人が第２の情報処理装置と同種のものを使用していても、それと第１の情報処理装置との間の通信が許可されていない限り、ＧＵＩ要素がその第２の情報処理装置に送られ表示されることはない。無関係な他人や必要な権限を持たないユーザの第２の情報処理装置にＧＵＩ要素が送られ表示されてしまう事が防止できる。
【手続補正１９】
【補正対象書類名】明細書
【補正対象項目名】００３３
【補正方法】変更
【補正の内容】
【００３３】
任意の第２の情報処理装置との間の通信を許可したり許可を取り消したりできる。システム機器の構成および各機器を操作するユーザの構成にあわせて、柔軟にＧＵＩ要素の表示の設定を変更する事が可能になる。
【手続補正２０】
【補正対象書類名】明細書
【補正対象項目名】００３５
【補正方法】変更
【補正の内容】
【００３５】
どのＧＵＩ要素を第２の情報処理装置に送って表示させるかをユーザが設定できる。ユーザが、自己の作業環境にあわせて最適な形にＧＵＩ要素の表示を設定できる。
【手続補正２１】
【補正対象書類名】明細書
【補正対象項目名】００３６
【補正方法】変更
【補正の内容】
【００３６】
さらに好ましくは、情報処理システムは、制御手段により第２の情報処理装置に表示されたＧＵＩ要素が存在するときに、第１の情報処理装置の表示装置に予め定められた表示を行なうための手段をさらに含む。
【手続補正２２】
【補正対象書類名】明細書
【補正対象項目名】００３７
【補正方法】変更
【補正の内容】
【００３７】
第１の情報処理装置に予め定められた表示を行なう事により、第２の情報処理装置に表示されたＧＵＩ要素がある事を第１の情報処理装置のユーザが容易に確認できる。
【手続補正２３】
【補正対象書類名】明細書
【補正対象項目名】００３８
【補正方法】変更
【補正の内容】
【００３８】
本発明の第２の局面に係る情報処理装置は、表示装置と、第２の情報処理装置との間で通信を行なうための通信手段と、通信手段により第２の情報処理装置と接続状態にあるか否かを判定するための接続状態判定手段と、接続状態判定手段により第２の情報処理装置と接続状態にあると判定された事に応答して、表示装置に表示しているＧＵＩ要素のうち、所定の条件を満足するものの属性情報を第２の情報処理装置に送信するように通信手段を制御するための制御手段と、所定の条件を満足するＧＵＩ要素の、表示装置における表示を抑止するための手段とを含む。
【手続補正２４】
【補正対象書類名】明細書
【補正対象項目名】００３９
【補正方法】変更
【補正の内容】
【００３９】
この情報処理装置と第２の情報処理装置とが接続状態となると、この情報処理装置の表示装置に表示すべきＧＵＩ要素のうちで所定の条件を満足するものが第２の情報処理装置に送られて表示される。この情報処理装置では、それまでこのＧＵＩ要素に隠れていたＧＵＩ要素を確認できるようになる。また第２の情報処理装置では送られたＧＵＩ要素が他のＧＵＩ要素に邪魔されずに表示される。従って、この情報処理装置においても、第２の情報処理装置においても、わざわざ表示装置上のＧＵＩ要素の位置を動かす事なく、ＧＵＩ要素の確認ができ、操作を行なう事ができるようになる。
【手続補正２５】
【補正対象書類名】明細書
【補正対象項目名】００４０
【補正方法】変更
【補正の内容】
【００４０】
制御手段は、第２の情報処理装置に表示すべきＧＵＩ要素を特定する情報を記憶するためのＧＵＩ情報記憶手段と、接続状態判定手段により第２の情報処理装置と接続状態にあると判定された事に応答して、情報処理装置の表示装置に表示しているＧＵＩ要素のうち、ＧＵＩ情報記憶手段に記憶されているＧＵＩ要素の属性情報を通信手段を介して第２の情報処理装置に送信するための手段と、所定の条件を満足するＧＵＩ要素の、表示装置における表示を抑止するための手段とを含んでもよい。
【手続補正２６】
【補正対象書類名】明細書
【補正対象項目名】００４１
【補正方法】変更
【補正の内容】
【００４１】
このように情報処理装置から第２の情報処理装置に送って表示すべきＧＵＩ要素を特定する情報を記憶させておく事ができるようにすると、そうした設定を変更する際にハードウェアまたはプログラムを変更する必要はなく、この情報だけを変更すればよい。その結果、システムの保守作業が容易になる。
【手続補正２７】
【補正対象書類名】明細書
【補正対象項目名】００４２
【補正方法】変更
【補正の内容】
【００４２】
好ましくは、第２の情報処理装置には識別情報が割当てられており、制御手段は、ＧＵＩ要素を特定する情報と、当該ＧＵＩ要素の表示先の第２の情報処理装置の識別情報とを記憶するためのＧＵＩ情報記憶手段と、接続状態判定手段により、ＧＵＩ情報記憶手段に記憶された識別情報を有する第２の情報処理装置と接続状態にあると判定された事に応答して、この情報処理装置の表示装置に表示しているＧＵＩ要素のうち、接続状態にあると判定された第２の情報処理装置の識別情報に対応してＧＵＩ情報記憶手段に記憶されているＧＵＩ要素に関する属性情報を、接続状態判定手段により接続状態にあると判定された第２の情報処理装置に送信するように通信手段を制御するための手段と、所定の条件を満足するＧＵＩ要素の、表示装置における表示を抑止するための手段とを含む。
【手続補正２８】
【補正対象書類名】明細書
【補正対象項目名】００４３
【補正方法】変更
【補正の内容】
【００４３】
第２の情報処理装置の識別情報に対応するＧＵＩ要素のみを第２の情報処理装置で表示させる事ができる。第２の情報処理装置が複数あり得る場合に、第２の情報処理装置ごとに表示させるＧＵＩ要素を予め定めておく事ができる。その結果、第２の情報処理装置の性能、装備、用途に応じて、ＧＵＩ要素と第２の情報処理装置との組合せの設定を自由に行なう事ができる。
【手続補正２９】
【補正対象書類名】明細書
【補正対象項目名】００４４
【補正方法】変更
【補正の内容】
【００４４】
情報処理装置はさらに、接続状態判定手段により接続状態にあると判定された第２の情報処理装置から、ＧＵＩ要素を特定する情報と、当該ＧＵＩ要素に関する操作の内容とを示す操作情報を受取った事に応答して、当該ＧＵＩ要素と、当該操作の内容とによって定められる処理を実行するための手段をさらに含む。
【手続補正３０】
【補正対象書類名】明細書
【補正対象項目名】００４５
【補正方法】変更
【補正の内容】
【００４５】
第２の情報処理装置から操作情報を受取る事で、ユーザが第２の情報処理装置においてそのＧＵＩ要素に行なった操作に対応した操作をこの情報処理装置で実行できる。ユーザがこの情報処理装置から離れていたりしてもユーザはこの情報処理装置を操作できる。また、第２の情報処理装置上の表示はこの情報処理装置上の表示より確認しやすいので、ユーザは第２の情報処理装置に表示されたＧＵＩ要素を容易に操作できる。
【手続補正３１】
【補正対象書類名】明細書
【補正対象項目名】００４６
【補正方法】変更
【補正の内容】
【００４６】
この情報処理装置は、第２の情報処理装置を所定位置に着脱可能に保持するための手段をさらに含んでもよい。
【手続補正３２】
【補正対象書類名】明細書
【補正対象項目名】００４７
【補正方法】変更
【補正の内容】
【００４７】
第２の情報処理装置をこの情報処理装置から取り外す事ができるので、この情報処理装置から離れた場所にユーザがいても、この情報処理装置に表示されるべき情報を第２の情報処理装置で確認できる。また第２の情報処理装置がこの情報処理装置の所定位置に保持されるので、両者の表示装置の相対的な位置関係が定まり、ユーザにとって両方の表示装置の表示内容を確認しやすくなる。
【手続補正３３】
【補正対象書類名】明細書
【補正対象項目名】００４８
【補正方法】変更
【補正の内容】
【００４８】
より好ましくは、情報処理装置は、第２の情報処理装置との間の通信を許可するか否かを特定する情報を記憶するための許可情報記憶手段と、第２の情報処理装置との間で通信が可能となった事に応答して、許可情報記憶手段を参照し、当該第２の情報処理装置と接続状態とする事を許可するか否かを判定するための許可判定手段とをさらに含み、それによって、第２の情報処理装置との間の通信が許可されているときのみ、第２の情報処理装置と接続状態となり、ＧＵＩ要素の属性情報が通信手段を介して第２の情報処理装置に送信される。
【手続補正３４】
【補正対象書類名】明細書
【補正対象項目名】００４９
【補正方法】変更
【補正の内容】
【００４９】
通信が許可された第２の情報処理装置との間だけでＧＵＩ要素の属性情報の送信が行なわれる。他人の第２の情報処理装置にＧＵＩ要素の属性情報が送信されたりするおそれはない。
【手続補正３５】
【補正対象書類名】明細書
【補正対象項目名】００５０
【補正方法】変更
【補正の内容】
【００５０】
この情報処理装置は、許可情報記憶手段に記憶される情報をユーザが設定するための手段をさらに含んでもよい。
【手続補正３６】
【補正対象書類名】明細書
【補正対象項目名】００５１
【補正方法】変更
【補正の内容】
【００５１】
任意の第２の情報処理装置との間の通信を許可したり許可を取り消したりできる。システム機器の構成および各機器を操作するユーザの構成にあわせて、柔軟にＧＵＩ要素の表示の設定を変更する事が可能になる。
【手続補正３７】
【補正対象書類名】明細書
【補正対象項目名】００５２
【補正方法】変更
【補正の内容】
【００５２】
この情報処理装置はまた、ＧＵＩ情報記憶手段に記憶される情報をユーザが設定するための入力手段をさらに含んでもよい。
【手続補正３８】
【補正対象書類名】明細書
【補正対象項目名】００５３
【補正方法】変更
【補正の内容】
【００５３】
どのＧＵＩ要素を第２の情報処理装置に表示させるかをユーザが設定できる。ユーザが、自己の作業環境にあわせて最適な形にＧＵＩ要素の表示を設定できる。
【手続補正３９】
【補正対象書類名】明細書
【補正対象項目名】００５４
【補正方法】変更
【補正の内容】
【００５４】
好ましくはこの情報処理装置は、制御手段により第２の情報処理装置にＧＵＩ要素に関する属性情報を送信したときに、表示装置に予め定められた表示を行なうための手段をさらに含む。
【手続補正４０】
【補正対象書類名】明細書
【補正対象項目名】００５５
【補正方法】変更
【補正の内容】
【００５５】
情報処理装置に予め定められた表示を行なう事により、第２の情報処理装置に表示されたＧＵＩ要素がある事を情報処理装置のユーザが容易に確認できる。
【手続補正４１】
【補正対象書類名】明細書
【補正対象項目名】００５６
【補正方法】変更
【補正の内容】
【００５６】
本発明の第３の局面に係る情報処理装置は、ＧＵＩ要素を表示する表示装置と、第１の情報処理装置と通信可能な通信手段と、通信手段により第１の情報処理装置から問合せを受信した事に応答して、第１の情報処理装置に応答を返信する事により、第１の情報処理装置との間の接続状態を確認するための接続状態確認手段と、通信手段により第１の情報処理装置からＧＵＩ要素の属性情報を受取った事に応答して、表示装置上に当該ＧＵＩ要素を表示するための手段とを含む。
【手続補正４２】
【補正対象書類名】明細書
【補正対象項目名】００５７
【補正方法】変更
【補正の内容】
【００５７】
第１の情報処理装置とこの情報処理装置とが接続状態となると、第１の情報処理装置の表示装置に表示すべきＧＵＩ要素のうちで所定の条件を満足するものが、この情報処理装置に送られて表示される。第１の情報処理装置では、それまでこのＧＵＩ要素に隠れていたＧＵＩ要素を確認できるようになる。またこの情報処理装置では第１の情報処理装置から送られたＧＵＩ要素が他のＧＵＩ要素に邪魔されずに表示される。従って、第１の情報処理装置においても、この情報処理装置においても、わざわざ表示装置上のＧＵＩ要素の位置を動かす事なく、ＧＵＩ要素の確認ができ、操作を行なう事ができるようになる。
【手続補正４３】
【補正対象書類名】明細書
【補正対象項目名】００５８
【補正方法】変更
【補正の内容】
【００５８】
この情報処理装置はさらに、表示装置上に表示されたＧＵＩ要素に対してユーザが行なった操作を検出するための操作検出手段と、操作検出手段により検出された操作の内容を、当該操作が行なわれたＧＵＩ要素を特定する情報とともにＧＵＩの操作情報として第１の情報処理装置に通信手段を介して送信するための手段とを含んでもよい。
【手続補正４４】
【補正対象書類名】明細書
【補正対象項目名】００５９
【補正方法】変更
【補正の内容】
【００５９】
この情報処理装置に表示されたＧＵＩ要素に対してユーザが行なった操作に関する操作情報に基づき、第１の情報処理装置でその操作に対応した処理が実行できる。ユーザが第１の情報処理装置から離れたところにいても、第１の情報処理装置を容易に操作する事が可能になる。
【手続補正４５】
【補正対象書類名】明細書
【補正対象項目名】００６０
【補正方法】変更
【補正の内容】
【００６０】
本発明の第４の局面に係るコンピュータプログラムは、コンピュータ上で実行されると、当該コンピュータを、本発明の第２または第３の局面に係る情報処理装置として動作させるコンピュータプログラムである。従って、このプログラムをコンピュータ上で実行する事により、上記した第２または第３の局面に係る発明の作用・効果を実現できる。
【手続補正４６】
【補正対象書類名】明細書
【補正対象項目名】００６１
【補正方法】削除
【補正の内容】
【手続補正４７】
【補正対象書類名】明細書
【補正対象項目名】０１９７
【補正方法】変更
【補正の内容】
【０１９７】
【発明の効果】
以上のように本発明の第１の局面によれば、第１の情報処理装置においても、第２の情報処理装置においても、わざわざ表示装置上のＧＵＩ要素の位置を動かす事なく、ＧＵＩ要素の確認ができ、操作を行なう事ができるようになる。その結果、システムに関する情報をより容易に確認したり、システムに対する操作をより容易にしたりできる。
【手続補正４８】
【補正対象書類名】明細書
【補正対象項目名】０１９８
【補正方法】変更
【補正の内容】
【０１９８】
また、第１の情報処理装置から第２の情報処理装置に送って表示すべきＧＵＩ要素を特定する情報を予め記憶させておく事ができるようにすると、ＧＵＩ要素の表示の設定のための保守作業が簡単になる。その結果、ユーザにとって使いやすいシステムを構築できる。
【手続補正４９】
【補正対象書類名】明細書
【補正対象項目名】０１９９
【補正方法】変更
【補正の内容】
【０１９９】
第２の情報処理装置が複数あり得る場合に、第２の情報処理装置ごとに表示させるＧＵＩ要素を予め定めておけば、第２の情報処理装置の性能、装備、用途に応じて、ＧＵＩ要素と第２の情報処理装置との組合せを自由に設定できる。その結果、ユーザにとって使いやすいシステムを構築できる。
【手続補正５０】
【補正対象書類名】明細書
【補正対象項目名】０２００
【補正方法】変更
【補正の内容】
【０２００】
第２の情報処理装置が、複数個の第１の情報処理装置の各々と個別に接続状態となるようにする事で、複数個の第１の情報処理装置の各々から第２の情報処理装置へのＧＵＩ要素の送信と表示が可能になる。１台の第２の情報処理装置で複数個の第１の情報処理装置の状態を一括して把握し、管理できる。
【手続補正５１】
【補正対象書類名】明細書
【補正対象項目名】０２０１
【補正方法】変更
【補正の内容】
【０２０１】
また、第２の情報処理装置からユーザによる操作が行なわれたＧＵＩ要素と、当該操作の内容とに関する操作情報とを第１の情報処理装置に送信できるようにする事で、第１の情報処理装置でその操作に対応した処理が実行できる。ユーザが第１の情報処理から離れたところにいても、第１の情報処理装置を容易に操作する事が可能になる。
【手続補正５２】
【補正対象書類名】明細書
【補正対象項目名】０２０２
【補正方法】変更
【補正の内容】
【０２０２】
さらに、第２の情報処理装置の表示装置上にＧＵＩ要素を表示する場合、第１の表示装置上で表示する場合と形態を独立に定められる形態とする事で、第２の情報処理装置では第１の情報処理装置での表示形態に制限を受ける事なく、第２の情報処理装置の表示態様にあわせた適切な形態でＧＵＩ要素を表示させる事ができる。その結果、システムの状態をより容易に確認できるようになる。
【手続補正５３】
【補正対象書類名】明細書
【補正対象項目名】０２０３
【補正方法】変更
【補正の内容】
【０２０３】
第２の情報処理装置を第１の情報処理装置の所定位置に着脱可能に保持する手段を設けた場合、第２の情報処理装置を第１の情報処理装置の所定位置に保持させたときに、ユーザにとって両方の表示装置の表示内容を確認しやすくなる。
【手続補正５４】
【補正対象書類名】明細書
【補正対象項目名】０２０４
【補正方法】変更
【補正の内容】
【０２０４】
第１の情報処理装置から第２の情報処理装置にＧＵＩ要素を送って表示させる事ができるのは、それが許可されている場合だけとすると、第１の情報処理装置との間の通信が許可されていない第２の情報処理装置に、第１の情報処理装置からＧＵＩ要素が送られて表示されてしまう事が防止できる。情報の漏洩、第２の情報処理装置の表示の混乱を防止でき、システムの管理がより容易に行なえるようになる。
【手続補正５５】
【補正対象書類名】明細書
【補正対象項目名】０２０７
【補正方法】変更
【補正の内容】
【０２０７】
制御手段により第２の情報処理装置に送られたＧＵＩ要素が存在するときに、第１の情報処理装置の表示装置に予め定められた表示を行なうようにする事により、第２の情報処理装置に送られ表示されたＧＵＩ要素がある事を第１の情報処理装置のユーザが確認できる。そのＧＵＩ要素による表示内容をユーザが再確認する事になり、ユーザに対する情報の伝達が確実になる。
【手続補正５６】
【補正対象書類名】明細書
【補正対象項目名】０２０８
【補正方法】変更
【補正の内容】
【０２０８】
本発明の第２の局面に係る情報処理装置によれば、この情報処理装置においても、第２の情報処理装置においても、わざわざ表示装置上のＧＵＩ要素の位置を動かす事なく、ＧＵＩ要素の確認ができ、操作を行なう事ができるようになる。その結果、システムに関する情報をより容易に確認したり、システムに対する操作をより容易にしたりできる。
【手続補正５７】
【補正対象書類名】明細書
【補正対象項目名】０２０９
【補正方法】変更
【補正の内容】
【０２０９】
この情報処理装置から第２の情報処理装置に送って表示すべきＧＵＩ要素を特定する情報を予め記憶させておく事ができるようにすると、ＧＵＩ要素の表示の設定の変更を行なう際の保守作業が容易になる。その結果、ユーザにとって使いやすいシステムを構築できる。
【手続補正５８】
【補正対象書類名】明細書
【補正対象項目名】０２１０
【補正方法】変更
【補正の内容】
【０２１０】
第２の情報処理装置が複数あり得る場合に、第２の情報処理装置ごとに表示させるＧＵＩ要素を予め定めておけば、第２の情報処理装置の性能、装備、用途に応じて、ＧＵＩ要素と第２の情報処理装置との組合せを自由に設定できる。その結果、ユーザにとって使いやすいシステムを構築できる。
【手続補正５９】
【補正対象書類名】明細書
【補正対象項目名】０２１１
【補正方法】変更
【補正の内容】
【０２１１】
第２の情報処理装置からＧＵＩ要素を特定する情報と操作情報とを受取れば、ユーザが第２の情報処理装置においてそのＧＵＩ要素に行なった操作に対応した操作をこの情報処理装置で実行できる。ユーザがこの情報処理装置から離れていたりしてもユーザはこの情報処理装置を操作できる。
【手続補正６０】
【補正対象書類名】明細書
【補正対象項目名】０２１２
【補正方法】変更
【補正の内容】
【０２１２】
第２の情報処理装置をこの情報処理装置の所定位置に着脱可能に保持する手段を設けた場合、第２の情報処理装置をこの情報処理装置の所定位置に保持させたときに、ユーザにとって両方の表示装置の表示内容を確認しやすくなる。
【手続補正６１】
【補正対象書類名】明細書
【補正対象項目名】０２１３
【補正方法】変更
【補正の内容】
【０２１３】
この情報処理装置から第２の情報処理装置にＧＵＩ要素を送って表示させる事ができるのは、それが許可されている場合だけとすると、この情報処理装置との間の通信が許可されていない第２の情報処理装置には、この情報処理装置からＧＵＩ要素が送られて表示されてしまう事が防止できる。情報の漏洩、第２の情報処理装置の表示の混乱を防止でき、システムの管理がより容易に行なえるようになる。
【手続補正６２】
【補正対象書類名】明細書
【補正対象項目名】０２１６
【補正方法】変更
【補正の内容】
【０２１６】
制御手段により第２の情報処理装置に送られ表示されたＧＵＩ要素が存在するときに、この情報処理装置の表示装置に予め定められた表示を行なうようにする事により、第２の情報処理装置に表示されたＧＵＩ要素がある事をこの情報処理装置のユーザが確認できる。そのＧＵＩ要素による表示内容をユーザが再確認する事になり、ユーザに対する情報の伝達が確実になる。
【手続補正６３】
【補正対象書類名】明細書
【補正対象項目名】０２１７
【補正方法】変更
【補正の内容】
【０２１７】
本発明の第３の局面によれば、第１の情報処理装置においても、この情報処理装置においても、わざわざ表示装置上のＧＵＩ要素の位置を動かす事なく、ＧＵＩ要素の確認ができ、操作を行なう事ができるようになる。
【手続補正６４】
【補正対象書類名】明細書
【補正対象項目名】０２１８
【補正方法】変更
【補正の内容】
【０２１８】
また、この情報処理装置からユーザによる操作が行なわれたＧＵＩ要素と、当該操作の内容とに関する操作情報とを第１の情報処理装置に送信できるようにする事で、第１の情報処理装置でその操作に対応した処理が実行できる。ユーザが第１の情報処理から離れたところにいても、第１の情報処理装置を容易に操作する事が可能になる。